(57)【要約】【課題】外部配線４ａの引き回しの際の取り扱いが容易で、その引き回しが容易となる太陽電池モジュール１を実現する。【解決手段】太陽電池モジュール１の出力は、太陽電池セル２が実装される少なくとも１枚の配線シート３の出力端子３ｔ１から、外部配線４ａを介して外部に取り出される。少なくとも１枚の配線シート３は、太陽電池セル２の実装領域に沿うように外部配線４ａが固定される固定部３２を有している。【選択図】図１
2013149663.tif 000002
【特許請求の範囲】
【請求項１】
太陽電池セルが実装される少なくとも１枚の配線シートの出力端子から、外部配線を介して出力が外部に取り出される太陽電池モジュールであって、
少なくとも１枚の配線シートは、前記太陽電池セルの実装領域に沿うように前記外部配線が固定される固定部を有していることを特徴とする太陽電池モジュール。
【請求項２】
前記配線シートにおいて、前記太陽電池セルの実装側を表側とし、実装側とは反対側を裏側とすると、
前記配線シートは、表側の面に形成された前記出力端子を該配線シートの裏側に引き出すために裏側に折り曲げられる折り曲げ部をさらに有しており、
前記外部配線は、前記折り曲げ部によって裏側に引き出された前記出力端子と接続されて、前記固定部における裏側の面に固定されていることを特徴とする請求項１に記載の太陽電池モジュール。
【請求項３】
前記配線シートは、直列または並列に複数設けられており、
前記配線シートの各々は、前記太陽電池セルの実装領域の周囲の複数箇所に設けられる前記固定部の少なくともいずれかを除去することによって形成されており、
前記外部配線は、除去されずに残った固定部に固定されていることを特徴とする請求項１または２に記載の太陽電池モジュール。
【請求項４】
前記配線シートは、複数の太陽電池セルが直列に実装される短冊状シートで構成されて、複数並列に設けられており、
各配線シートの固定部は、隣り合う配線シートの固定部と前記太陽電池セルの実装側とは反対側で重なるように、前記短冊状シートの短手方向に張り出し、かつ、その張り出した位置から、前記短冊状シートの長手方向に伸びて、該太陽電池モジュールの外枠となるフレームと重なる張り出し部を有しており、
前記外部配線は、前記配線シートにおける前記太陽電池セルの実装側とは反対側に引き出された前記出力端子と接続されて、前記張り出し部を介して前記フレームの外側に引き出されていることを特徴とする請求項１または２に記載の太陽電池モジュール。
【請求項５】
前記固定部の前記太陽電池セルの実装側の面には、前記固定部に固定された前記外部配線を覆うように遮光部材が設けられていることを特徴とする請求項１から４のいずれかに記載の太陽電池モジュール。
【請求項６】
前記外部配線を前記配線シートの前記固定部に固定するための固定部材をさらに有しており、
前記固定部材は、テープ、接着剤またははんだであることを特徴とする請求項１から５のいずれかに記載の太陽電池モジュール。
【請求項７】
前記太陽電池セルは、半導体基板における受光面とは反対側の裏面にセル電極が形成された裏面電極型の太陽電池セルであることを特徴とする請求項１から６のいずれかに記載の太陽電池モジュール。
【発明の詳細な説明】
【技術分野】
【０００１】
本発明は、太陽電池セルが実装される少なくとも１枚の配線シートの出力端子から、外部配線を介して出力が外部に取り出される太陽電池モジュールに関するものである。
【背景技術】
【０００２】
光エネルギーを電気エネルギーに変換する太陽電池は、地球環境問題への関心の高まりから、環境負荷の小さなクリーンなエネルギー源として注目が高まっている。太陽電池に用いられる材料としては、化合物半導体材料や有機材料を用いたものなど様々な種類があるが、現在はシリコン結晶を用いたものが主流となっている。
【０００３】
太陽電池は、通常、太陽電池セル単体で使用されることは少なく、所定の出力が得られるように、複数の太陽電池セルを直列や並列に接続した太陽電池モジュールの形態で使用される。例えば特許文献１では、太陽電池素子をリード線によって相互に接続するとともに、出力取り出し用のリード線によって出力を外部に取り出すようにしている。
【先行技術文献】
【特許文献】
【０００４】
【特許文献１】特開２０００−２７７７８４号公報（請求項１、図１等参照）
【発明の概要】
【発明が解決しようとする課題】
【０００５】
ところで、図１３は、従来の太陽電池モジュール１００の概略の構成を模式的に示す平面図であり、図１４は、上記太陽電池モジュール１００の断面図である。太陽電池セル１０１を実装した配線シート１０２を奇数列配置し、各配線シート１０２を直列に接続すると、各太陽電池セル１０１での発電によって各配線シート１０２を流れる電流は、例えば破線の矢印で示す方向に流れる。この電流（出力）は、各配線シート１０２の直列方向の両端部に位置する出力端子１０２ａ・１０２ｂから、外部配線１０３ａ・１０３ｂを介して外部に取り出される。
【０００６】
このとき、図１４に示すように、各配線シート１０２の一部は、裏面側に折り曲げられ、裏面側で各配線シートの出力端子がインターコネクトケーブル１０４（図１３参照）によってはんだ接続される。このような各配線シート１０２の折り曲げ配置により、各配線シート１０２を、間隔を詰めて配置することが可能となる。
【０００７】
図１３に示すように、配線シート１０２を奇数列配置した場合、太陽電池モジュール１００における一方の出力端子１０２ａが、太陽電池セル１０１の実装領域を挟んで他方の出力端子１０２ｂと対向する位置関係となるため、外部配線１０３ａ・１０３ｂを同一箇所に集約するには、一方の外部配線１０３ａを他方の外部配線１０３ｂ側に引き回す必要がある。このとき、配線シート１０２の外部で外部配線１０３ａを引き回そうとすると、外部配線１０３ａが固定されておらず不安定であるため、外部配線１０３ａの取り扱いが困難となり、外部配線１０３ａの引き回しが困難になるという問題が生ずる。
【０００８】
本発明は、上記の問題点を解決するためになされたもので、その目的は、外部配線の引き回しの際の取り扱いが容易で、その引き回しが容易となる太陽電池モジュールを提供することにある。
【課題を解決するための手段】
【０００９】
本発明の太陽電池モジュールは、太陽電池セルが実装される少なくとも１枚の配線シートの出力端子から、外部配線を介して出力が外部に取り出される太陽電池モジュールであって、少なくとも１枚の配線シートは、前記太陽電池セルの実装領域に沿うように前記外部配線が固定される固定部を有していることを特徴としている。
【００１０】
上記の構成によれば、外部配線を実装領域に沿うように固定部に固定することで、外部配線を所定の位置まで引き回すことが可能となる。このとき、外部配線を固定部に固定することで、外部配線が安定するため、外部配線の引き回しの際の取り扱いが容易となり、外部配線を固定部に固定しながら、所定の位置まで引き回すことが容易となる。
【００１１】
本発明の太陽電池モジュールにおいて、前記配線シートにおいて、前記太陽電池セルの実装側を表側とし、実装側とは反対側を裏側とすると、前記配線シートは、表側の面に形成された前記出力端子を該配線シートの裏側に引き出すために裏側に折り曲げられる折り曲げ部をさらに有しており、前記外部配線は、前記折り曲げ部によって裏側に引き出された前記出力端子と接続されて、前記固定部における裏側の面に固定されていてもよい。
【００１２】
外部配線は、折り曲げ部によって裏側に引き出された出力端子と接続されて、固定部の裏側の面に固定される。このように外部配線が固定部の裏側に位置することにより、外部配線が表側から視認されにくくなる。
【００１３】
本発明の太陽電池モジュールにおいて、前記配線シートは、直列または並列に複数設けられており、前記配線シートの各々は、前記太陽電池セルの実装領域の周囲の複数箇所に設けられる前記固定部の少なくともいずれかを除去することによって形成されており、前記外部配線は、除去されずに残った固定部に固定されていてもよい。
【００１４】
この構成では、複数の配線シートを並べて太陽電池モジュールを構成する場合に、同一構成の配線シートを用い、各配線シートの位置に応じて不要な固定部を除去することで、残った固定部に外部配線を固定して引き回すことが可能となる。つまり、１種類の配線シートでどの位置にも対応することができ、用意すべき配線シートの種類が減る分、コストを低減することができる。
【００１５】
本発明の太陽電池モジュールにおいて、前記配線シートは、複数の太陽電池セルが直列に実装される短冊状シートで構成されて、複数並列に設けられており、各配線シートの固定部は、隣り合う配線シートの固定部と前記太陽電池セルの実装側とは反対側で重なるように、前記短冊状シートの短手方向に張り出し、かつ、その張り出した位置から、前記短冊状シートの長手方向に伸びて、該太陽電池モジュールの外枠となるフレームと重なる張り出し部を有しており、前記外部配線は、前記配線シートにおける前記太陽電池セルの実装側とは反対側に引き出された前記出力端子と接続されて、前記張り出し部を介して前記フレームの外側に引き出されていてもよい。
【００１６】
この構成では、短冊状の各配線シートを並列に配置したときに、一方の配線シートの固定部の張り出し部が、これと並列方向に隣り合う他方の配線シートの固定部と重なり、かつ、フレームと重なるため、配線シートの裏側（太陽電池セルの実装側とは反対側）に引き出された出力端子と接続されて張り出し部を介してフレームの外側に引き出される外部配線は、隣り合う各配線シートの固定部（張り出し部を含む）およびフレームで隠れる。したがって、このように外部配線を引き回す場合でも、太陽電池モジュールにおいて外部配線が表側から視認されにくくなる。
【００１７】
本発明の太陽電池モジュールにおいて、前記固定部の前記太陽電池セルの実装側の面には、前記固定部に固定された前記外部配線を覆うように遮光部材が設けられていてもよい。
【００１８】
固定部に固定される外部配線は遮光部材によって隠されるので、外部配線を表側（太陽電池セルの実装側）から確実に視認されにくくして、モジュールの外観上の品位を向上させることができる。
【００１９】
本発明の太陽電池モジュールは、前記外部配線を前記配線シートの前記固定部に固定するための固定部材をさらに有しており、前記固定部材は、テープ、接着剤またははんだであってもよい。
【００２０】
この場合、固定部材（テープ、接着剤、はんだ）により、外部配線を固定部に確実に固定することができる。
【００２１】
本発明の太陽電池モジュールにおいて、前記太陽電池セルは、半導体基板における受光面とは反対側の裏面にセル電極が形成された裏面電極型の太陽電池セルであってもよい。
【００２２】
この場合は、裏面電極型の太陽電池セルを実装した太陽電池モジュールにおいて、上述した効果を得ることができる。
【発明の効果】
【００２３】
本発明によれば、外部配線を固定部に固定することで、外部配線が安定するため、外部配線の引き回しの際の取り扱いが容易となり、外部配線を固定部に固定しながら、所定の位置まで引き回すことが容易となる。
【図面の簡単な説明】
【００２４】
【図１】本発明の実施の一形態に係る太陽電池モジュールの概略の構成を、外部配線の引き回しの一例とともに示す平面図である
【図２】上記太陽電池モジュールの底面図である。
【図３】上記太陽電池モジュールの太陽電池セルの概略の構成を示す斜視図である。
【図４】上記太陽電池セルの底面図である。
【図５】上記太陽電池モジュールの配線シートの固定部以外の構成を示す平面図である。
【図６】上記配線シートの上記固定部を含む全体の構成を示す平面図である。
【図７】上記太陽電池モジュールにおける、各配線シートの形状を示す平面図である。
【図８】上記太陽電池モジュールにおける、外部配線の引き回しの他の例を示す平面図である。
【図９】上記太陽電池モジュールの他の構成を示す平面図である。
【図１０】図９の太陽電池モジュールの底面図である。
【図１１】上記太陽電池モジュールのさらに他の構成を示す平面図である。
【図１２】上記太陽電池モジュールのさらに他の構成を示す平面図である。
【図１３】従来の太陽電池モジュールの概略の構成を模式的に示す平面図である。
【図１４】上記太陽電池モジュールの断面図である。
【発明を実施するための形態】
【００２５】
本発明の実施の形態について、図面に基づいて説明すれば、以下の通りである。
【００２６】
図１は、本実施形態の太陽電池モジュール１の概略の構成を示す平面図であり、図２は、太陽電池モジュール１の底面図である。太陽電池モジュール１は、太陽電池セル２を配線シート３に実装して構成されている。本実施形態では、複数の配線シート３を用いて太陽電池モジュール１を構成しているが、太陽電池モジュール１は少なくとも１枚の配線シート３を用いて構成されればよい。また、本実施形態では、１つの太陽電池セル２を１枚の配線シート３に実装し、この配線シート３を複数枚並べて配置しているが、複数の太陽電池セル２を１枚の配線シート３に実装し、この配線シート３を複数枚並べて配置してもよい。
【００２７】
太陽電池セル２は、本実施形態では、裏面電極型の太陽電池セルで構成されている。図３は、太陽電池セル２の概略の構成を示す斜視図であり、図４は、太陽電池セル２の底面図である。太陽電池セル２は、半導体基板２０と、半導体基板２０の受光面２０ａ上に設けられた反射防止膜２１と、半導体基板２０の裏面（受光面２０ａとは反対側の面）２０ｂ上に設けられたパッシベーション層２２、ｎ電極２３（セル電極、負極性の電極）およびｐ電極２４（セル電極、正極性の電極）とを含んでいる。
【００２８】
半導体基板２０は、例えばｎ型の単結晶シリコン基板を用いて形成されており、ｎ型導電領域２０ｃと、ｎ型拡散領域２０ｄと、ｐ型拡散領域２０ｅとを有している。ｎ型拡散領域２０ｄは、半導体基板２０の裏面２０ｂ側に設けられ、ｎ型導電領域２０ｃよりも高濃度のｎ型不純物を有する領域である。ｐ型拡散領域２０ｅは、半導体基板２０の裏面２０ｂ側に設けられ、ｐ型不純物を有する領域である。
【００２９】
ここで、半導体基板２０の裏面２０ｂに平行な面内で互いに垂直な２方向を、Ａ方向およびＢ方向とする。ｎ型拡散領域２０ｄおよびｐ型拡散領域２０ｅは、Ａ方向に帯状に延びて形成されているとともに、Ｂ方向に所定のピッチで交互に形成されている。なお、図３では、ｎ型拡散領域２０ｄおよびｐ型拡散領域２０ｅを２つずつ示しているが、ｎ型拡散領域２０ｄおよびｐ型拡散領域２０ｅは、多数（例えば数十個以上）形成されていてもよい。
【００３０】
ｎ電極２３は、パッシベーション層２２の開口部２２ａを介して、ｎ型拡散領域２０ｄにオーミック接触している。同様に、ｐ電極２４は、パッシベーション層２２の開口部２２ａを介して、ｐ型拡散領域２０ｅにオーミック接触している。ｎ電極２３およびｐ電極２４は、ｎ型拡散領域２０ｄおよびｐ型拡散領域２０ｅと同様に、Ａ方向に帯状に延びて形成されているとともに、Ｂ方向に所定のピッチで交互に形成されている。
【００３１】
上記の構成において、太陽電池セル２に光（太陽光）が入射すると、励起子（電子、正孔）が生じ、電子はｎ電極２３側に、正孔はｐ電極２４側に集まり、これによって、ｎ電極２３およびｐ電極２４間に電位差が生ずる。この電位差に相当する電流は、太陽電池セル２が実装される配線シート３を介して外部に取り出される。
【００３２】
なお、太陽電池セル２は、半導体基板２０としてｎ型のシリコン基板を用いて構成されているが、ｐ型のシリコン基板を用いて構成されてもよいし、シリコン基板以外の半導体基板を用いて構成されてもよい。
【００３３】
配線シート３は、ポリイミド（ＰＩ）からなる基材の表面に銅箔層が付いたＦＰＣ（フレキシブルプリント基板）で構成されている。ここで、図５は、配線シート３の後述する固定部３２（図１参照）以外の構成を示す平面図である。配線シート３は、太陽電池セル２のｐ電極２４およびｎ電極２３の形成パターンと対応するパターンで形成される複数の電極３ａ・３ｂを有している。これらの電極３ａ・３ｂは、Ａ方向にライン状に形成されてＢ方向に並列に、かつ、交互に配置される。複数の電極３ａは、Ｂ方向に帯状に形成された出力端子３ｔ１とＡ方向の一端側でそれぞれ電気的に接続されており、複数の電極３ｂは、Ｂ方向に帯状に形成された出力端子３ｔ２とＡ方向の他端側でそれぞれ電気的に接続されている。これらの出力端子３ｔ１・３ｔ２により、複数の電極３ａ・３ｂが引き出されることになる。また、複数の電極３ａと出力端子３ｔ１とで櫛刃状の電極が構成され、複数の電極３ｂと出力端子３ｔ２とで櫛刃状の電極が構成されるが、これらの櫛刃状の電極は互いにかみ合うように配置されている。
【００３４】
本実施形態では、複数の配線シート３を複数列配置するとともに、各配線シート３を直列に接続している（図１参照）。そして、直列方向の両端部に位置する２つの配線シート３のうち、一方の配線シート３の出力端子３ｔ１を外部配線４ａと電気的に接続し、他方の配線シート３の出力端子３ｔ２を外部配線４ｂと電気的に接続している。他の配線シート３の出力端子３ｔ１・３ｔ２は、隣り合う配線シート３の出力端子３ｔ２・３ｔ１とインターコネクトケーブル５・５によって電気的に接続される。
【００３５】
したがって、太陽電池セル２のｐ電極２４およびｎ電極２３と、配線シート３の電極３ａ・３ｂとがそれぞれ電気的に接続されるように、太陽電池セル２を配線シート３に実装し、上記のように各配線シート３の出力端子３ｔ１・３ｔ２をインターコネクトケーブル５・５または外部配線４ａ・４ｂと接続することにより、各太陽電池セル２で発生した電力を、各配線シート３の出力端子３ｔ１・３ｔ２から外部配線４ａ・４ｂを介して外部に取り出すことができる（外部配線４ａ・４ｂを介して電流を流すことができる）。
【００３６】
また、本実施形態では、上記した外部配線４ａ・４ｂを１か所に集約するために、外部配線４ａを配線シート３に固定しながら外部配線４ｂ側に引き回している。以下、このような外部配線４ａの引き回しを可能とする配線シート３の構成について説明する。
【００３７】
なお、以下での説明の便宜上、配線シート３において、太陽電池セル２の実装側を表側とし、実装側とは反対側を裏側とする。また、以下では、外部配線４ａの引き回しについて説明するが、外部配線４ｂを外部配線４ａ側に引き回したり、外部配線４ａ・４ｂを両方とも別の位置に引き回す場合でも、本実施形態と同様の考え方を適用することが可能である。
【００３８】
図６は、１枚の配線シート３の全体の構成を示す平面図である。配線シート３は、実装部３１と、固定部３２と、折り曲げ部３３とを有して構成されている。実装部３１は、平面視で矩形状に形成されて、太陽電池セル２が実装される実装領域３１ａ（図６では破線で囲まれた領域）を有している。この実装領域３１ａには、上述した複数の電極３ａ・３ｂが形成されている。
【００３９】
固定部３２は、太陽電池セル２の実装領域３１ａの外側に位置して、実装領域３１ａに沿うように外部配線４ａが固定されるものである。固定部３２は、太陽電池セル２の実装領域３１ａの周囲の複数箇所に（実装部３１の４辺の外側に）設けられており、必要に応じて除去されるようになっている。本実施形態のように、複数の配線シート３を直列に接続して出力を取り出す場合、配線シート３の各々は、実装領域３１ａの周囲の４か所の固定部３２の少なくともいずれかを除去することによって形成される。なお、不要な固定部３２は、抜き加工または実装前の切り取りによって除去される。上記した図５の配線シート３は、複数の固定部３２を全て除去した状態で示したものである。
【００４０】
折り曲げ部３３は、配線シート３において、表側の面に形成された出力端子３ｔ１・３ｔ２を配線シート３の裏側に引き出すために裏側に折り曲げられる部分であり、図５に示す配線シート３において、出力端子３ｔ１のＢ方向の両端２か所と、出力端子３ｔ２のＢ方向両端２か所とのそれぞれに対応して、計４か所設けられている。各折り曲げ部３３を裏側に折り曲げることにより、シートの裏側に引き出された出力端子３ｔ１・３ｔ２は、シートの裏側で、隣り合う配線シート３の出力端子３ｔ２・３ｔ１とインターコネクトケーブル５・５によってはんだ接続される。このような各配線シート３の折り曲げ配置により、各配線シート３を、間隔を詰めて配置することが可能になる。
【００４１】
また、折り曲げ部３３の上記折り曲げにより、直列方向の一端部に位置する出力端子３ｔ１も、配線シート３の表側から裏側に引き出されるので、この出力端子３ｔ１と接続される外部配線４ａを、固定部３２における裏側の面３２ｂ（図２参照）に固定することが可能となる。このとき、外部配線４ａは、外部配線４ａが接続される出力端子３ｔ１を有する配線シート３の固定部３２のみに固定されてもよいし、さらに他の配線シート３の固定部３２にも固定されてもよい。
【００４２】
ここで、図７は、上記の配線シート３を複数並べて構成される太陽電池モジュール１における、各配線シート３の形状を示す平面図であり、図１および図２の太陽電池モジュール１に対応するものである。同図では、各配線シート３において、外部配線４ａの固定に必要な固定部３２のみを残し、他の固定部３２を除去して示している。このように、固定に必要な固定部３２のみを残し、各折り曲げ部３３を裏側に折り曲げることにより、図１および図２に示すように、太陽電池モジュール１の外周部に位置する固定部３２（特に面３２ｂ）に外部配線４ａを固定しながら、外部配線４ａを目的の位置まで引き回すことが可能となる。また、外部配線４ａを引き回す位置（どこまで引き回すか）によっては、図８に示すように必要最小限の固定部３２のみを残して、これらの固定部３２に外部配線４ａを固定して引き回すようにすることも可能となる。
【００４３】
上記した外部配線４ａは、固定部材３４（図２では斜線のハッチングで示す）によって固定部３２の裏側の面３２ｂに固定される。このような固定部材３４としては、例えばテープを用いることができるが、その他に、接着剤やはんだを用いることもできる。
【００４４】
また、固定部３２の表側の面３２ａ（図６参照）には、固定部３２に固定された外部配線４ａを覆うように遮光部材３５（図１、図８では斜線のハッチングで示す）が設けられている。遮光部材３５は、例えば黒レジストで構成されている。よって、固定部３２の層構成は、配線シート３の基材としてのポリイミドと、上記の黒レジストとの２層構成となる。なお、遮光部材３５を出力端子３ｔ１上にも設けてもよい。この場合、出力端子３ｔ１の位置では、配線シート３は、ポリイミドと、銅箔層と、黒レジストとの３層構成となる。
【００４５】
本実施形態のように、配線シート３が上述した固定部３２を有していることにより、実装領域３１ａの外側で、外部配線４ａを実装領域３１ａに沿うように固定部３２に固定して、所定の位置まで引き回すことが可能となる。このとき、外部配線４ａの上記固定により、外部配線４ａが安定するため、外部配線４ａの引き回しの際の取り扱いが容易となり、外部配線４ａを固定部３２に固定しながら、所定の位置まで引き回すことが容易となる。
【００４６】
また、外部配線４ａは、配線シート３の折り曲げ部３３によって裏側に引き出された出力端子３ｔ１と接続されて、固定部３２における裏側の面３２ｂに固定される。このように、外部配線４ａが固定部３２の裏側に位置することにより、表側から固定部３２を介して外部配線４ａが視認されにくくなり、太陽電池モジュール１の外観上の品位を向上させることができる。特に、固定部３２の表側の面３２ａに、外部配線４ａを覆うように遮光部材３５を設けることにより、固定部３２の裏側の外部配線４ａは表側から見たときに遮光部材３５によって隠れる。したがって、外部配線４ａは表側から確実に視認されにくくなり、太陽電池モジュール１の外観上の品位を確実に向上させることができる。
【００４７】
また、本実施形態のように、複数の配線シート３を並べて太陽電池モジュール１を構成する場合において、配線シート３の各々は、実装領域３１ａの周囲の複数箇所に設けられる固定部３２の少なくともいずれかを除去することによって形成されており、外部配線４ａは、除去されずに残った固定部３２に固定されるので、図６に示した構成の配線シート３を複数用い、各配線シート３の位置に応じて不要な固定部３２を除去することで、残った固定部３２に外部配線４ａを固定して引き回すことが可能となる。つまり、図６とは異なる構成の配線シート３を、配線シート３を配置する位置に応じて複数種類用意する必要がなく、配線シート３２を１種類だけ用意すれば、あとは不要な固定部３２を除去するだけでどの位置にも対応することができる。したがって、用意すべき配線シート３の種類が減る分、コストを低減することができる。
【００４８】
また、外部配線４ａは、テープなどの固定部材３４によって固定部３２の面３２ｂに固定されるので、外部配線４ａを固定部３２（面３２ｂ）に確実に、そして、強固に固定することができる。
【００４９】
また、本実施形態では、配線シート３に実装される太陽電池セル２として、半導体基板２０における受光面２０ａとは反対側の裏面２０ｂにセル電極（ｎ電極２３、ｐ電極２４）が形成された裏面電極型の太陽電池セル２で構成されている。したがって、そのような裏面電極型の太陽電池セル２を実装した太陽電池モジュール１において、上述した効果を得ることができる。
【００５０】
なお、以上では、配線シート３の表側の面に形成された出力端子３ｔ１・３ｔ２の裏側への引き出しを、折り曲げ部３３の折り曲げ構造によって実現する例について説明したが、このような例に限定されるわけではない。例えば、配線シート３の基材の両面に銅箔層を設けておき、表側の銅箔層（出力端子３ｔ１・３ｔ２を含む）と裏側の銅箔層とを、基材に形成したスルーホールを介して結線することで、表側の出力端子３ｔ１・３ｔ２を裏側に引き出すこともできる。したがって、このような引き出し方法であっても、配線シート３の裏側で出力端子３ｔ１と外部配線４ａとを接続して、その外部配線４ａを固定部３２の裏側の面３２ｂに固定することができる。
【００５１】
なお、以上では、固定部３２をポリイミド（基材）と黒レジスト（遮光部材３５）との２層で構成する場合について説明したが、固定部３２を、ポリイミドと銅箔層と黒レジストとの３層で構成してもよい。このように固定部３２に銅箔層を設けることにより、配線シート３全体が３層構造となって強固になるため、固定部３２に外部配線４ａを固定したときに、その重みで配線シート３が撓んで表面に凹凸が現れにくくなる。これにより、配線シート３の外観上の品質をさらに向上させることができる。
【００５２】
ところで、図９は、太陽電池モジュール１の他の構成を示す平面図であり、図１０は、図９の太陽電池モジュール１の底面図である。これらの図面に示すように、太陽電池モジュール１は、１枚の配線シート３に複数の太陽電池セル２を実装したもので構成されていてもよい（配線シート３は１枚ものであってもよい）。この太陽電池モジュール１は、外部配線４ａに大電流が流れる構造であるが、このような構成においても、外部配線４ａを実装領域３１ａに沿うように固定部３２に固定することにより、外部配線４ａを安定して引き回すことができ、外部配線の取り扱いが容易になるとともに、その引き回しも容易となる。
【００５３】
以上では、複数の配線シート３（太陽電池セル２）が直列に配置される例について説明したが、複数の配線シート３（太陽電池セル２）は並列に配置されていてもよい。図１１は、太陽電池モジュール１のさらに他の構成を示す平面図である。同図に示すように、配線シート３は、複数の太陽電池セル２が直列に接続されて実装される短冊状シート３６で構成されており、複数の短冊状シート３６が並列に配置されている。この場合でも、各短冊状シート３６の出力端子３ｔ１と接続される外部配線４ａを、各短冊状シート３６の固定部３２に実装領域３１ａに沿うように固定することで、外部配線４ａを安定して引き回すことができるため、外部配線４ａの取り扱いが容易となり、その引き回しも容易に行うことができる。また、一方の短冊状シート３６に対応する外部配線４ａを、これと隣り合う他方の短冊状シート３６に対応する外部配線４ａと接続すれば、外部配線４ａを最終的に１本にまとめて引き回すことができるので、その引き回しがさらに容易となる。
【００５４】
また、図１２は、太陽電池モジュール１のさらに他の構成を示す平面図である。同図に示すように、配線シート３が並列配置される短冊状シート３６で構成される場合において、各短冊状シート３６の固定部３２は、張り出し部３７を有していてもよい。なお、説明の便宜上、図１２で示された２枚の短冊状シート３６のそれぞれを区別するときは、短冊状シート３６ａ・３６ｂのように記載する。
【００５５】
各配線シート３（各短冊状シート３６ａ・３６ｂ）の張り出し部３７は、隣り合う配線シート３の固定部３２（例えば短冊状シート３６ａの張り出し部３７であれば、短冊状シート３６ｂの固定部３２）と裏側で重なるように、短冊状シート３６から該シートの短手方向に張り出し、かつ、その張り出した位置から、短冊状シート３６の長手方向に伸びて、太陽電池モジュール１の外枠となるフレーム５と重なるものである。ちなみに、このフレーム５は、太陽電池セル２を実装した配線シート３を充填材を介して一対の基板で加圧、挟持して太陽電池モジュール１を構成したときに、その一対の基板を保持する枠でもある。各外部配線４ａは、対応する配線シート３（短冊状シート３６）の裏側に引き出された出力端子３ｔ１と接続されて、実装領域３１ａに沿うように固定部３２に固定されながら、張り出し部３７を介してフレーム６の外側に引き出される。なお、張り出し部３７を含む固定部３２の表側の面３２ａには、上述した遮光部材３５が設けられていることが望ましい。なお、配線シート３の表側から裏側への出力端子３ｔ１の引き出しは、上述したように折り曲げ部３３の折り曲げによって行われてもよいし、配線シート３の基材の両面に形成された銅箔層をスルーホールを介して結線することで行われてもよい。
【００５６】
このように、各配線シート３が短冊状シート３６で構成され、各短冊状シート３６の固定部３２が張り出し部３７を有していることにより、例えば、短冊状シート３６ａから引き出される外部配線４ａを、隣り合う短冊状シート３６ｂの固定部３２および短冊状シート３６ａの張り出し部３７で隠しながら、フレーム５の外部に引き出すことができる。つまり、外部配線４ａを短冊状シート３６の裏側に隠したまま、フレーム５の外側まで引き出すことができる。その結果、フレーム５を含めた太陽電池モジュール１において、外部配線４ａを表側から視認しにくくさせることができる。
【産業上の利用可能性】
【００５７】
本発明は、太陽電池セルが実装される少なくとも１枚の配線シートの出力端子から、外部配線を介して出力が外部に取り出される太陽電池モジュールに利用可能である。
【符号の説明】
【００５８】
１      太陽電池モジュール
２      太陽電池セル
３      配線シート
３ｔ１    端子
３ｔ２    端子
４ａ    外部配線
４ｂ    外部配線
５      フレーム
２０      半導体基板
２０ａ    受光面
２０ｂ    裏面
２３      ｎ電極（セル電極）
２４      ｐ電極（セル電極）
３１ａ    実装領域
３２      固定部
３２ｂ    面
３３      折り曲げ部
３４      遮光部材
３５      固定部材
３６      短冊状シート
３６ａ    短冊状シート
３６ｂ    短冊状シート
３７      張り出し部
【図１】
2013149663.tif 000003
【図２】
2013149663.tif 000004
【図３】
2013149663.tif 000005
【図４】
2013149663.tif 000006
【図５】
2013149663.tif 000007
【図６】
2013149663.tif 000008
【図７】
2013149663.tif 000009
【図８】
2013149663.tif 000010
【図９】
2013149663.tif 000011
【図１０】
2013149663.tif 000012
【図１１】
2013149663.tif 000013
【図１２】
2013149663.tif 000014
【図１３】
2013149663.tif 000015
【図１４】
2013149663.tif 000016